【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
イメージ情報及び同期情報を包含するビデオ信号（ＣＶＳＣ）を伝送する第１のビデオ装置（１）のタイムベース（１２）と該ビデオ信号（ＣＶＳＣ）を受信する第２のビデオ装置（２）のタイムベース（２１）とを同期させる方法であって、
ａ）同期情報（ΦＩＣ、ΦＬＣ、；ΦＩＭ、ΦＬＭ；ＰＣＲＣ、ＰＣＲＭ）を前記第２のビデオ装置（２）によって受信された前記ビデオ信号（ＣＶＳＣ）及び前記第２のビデオ装置（２）のタイムベース（２１）から抽出するステップと、
ｂ）前記第２のビデオ装置（２）によって受信された前記ビデオ信号（ＣＶＳＣ）と前記第２のビデオ装置（２）の前記タイムベース（２１）との位相差（ΔΦＩ、ΔΦＬ）を前記抽出された同期情報（ΦＩＣ、ΦＬＣ、；ΦＩＭ、ΦＬＭ；ＰＣＲＣ、ＰＣＲＭ）に基づき求めるステップと、
ｃ）前記位相差の量を表す第１のタイプの制御情報（ΔΦＩ）を前記第１のビデオ装置（１）に伝送するステップと、
ｄ）前記第１のビデオ装置（１）において、前記ビデオ信号（ＣＶＳＣ）の位相を前記第１のタイプの制御情報（ΔΦＩ）を表す位相角だけ変えるステップとを包含する方法において、
前記第１のタイプの制御情報（ΔΦＩ）は所定数ｎ≧２のビットを有する２進データ語であり、
ｅ）該第１のタイプの制御情報（ΔΦＩ）及び第２のタイプの制御情報（ΔΦＬ、ΔＰＣＲ）を、該第１のタイプの制御情報（ΔΦＩ）及び該第２のタイプの制御情報（ΔΦＬ、ΔＰＣＲ）によって表される位相差の和が前記ステップｂ）において求められた位相差であるように決定するステップと、
ｆ）前記第２のタイプの制御情報（ΔΦＬ、ΔＰＣＲ）を前記第１のビデオ装置（１）にも伝送するステップと、
ｇ）前記第２のタイプの制御情報（ΔΦＬ、ΔＰＣＲ）によって表される位相シフトを前記第１のビデオ装置（１）において前記ビデオ信号（ＣＶＳＣ）に適用するステップとを包含することを特徴とする方法。
【請求項２】
前記ステップａ）及びｂ）を周期的に繰り返す、請求項１記載の方法。
【請求項３】
前記ステップｇ）を、前記第１のビデオ装置（１）の前記タイムベース（１２）のピクセルクロック信号（ＰＣＣ）の周波数を前記第２のタイプの制御情報（ΔΦＬ、ΔＰＣＲ）によって表される前記位相シフトの符号及び／又は振幅に応じて増大または低減することにより実施する、請求項１記載の方法。
【請求項４】
前記ステップｃ）及びｄ）を、前記第１のタイプの制御情報（ΔΦＩ）によって表される前記位相差が０ではない場合にのみ実施する、請求項１から３までのいずれか１項記載の方法。
【請求項５】
前記ステップｄ）を実施する時間を、前記ステップｂ）において求められた位相差に応じて、前記ステップｄ）の実施後に前記第１のビデオ装置（１）における前記ビデオ信号（ＣＶＳＣ）が所定の位相と見なされる選択する、請求項１から４までのいずれか１項記載の方法。
【請求項６】
前記所定の位相は前記ビデオ信号（ＣＶＳＣ）におけるイメージの開始である、請求項５記載の方法。
【請求項７】
前記ビデオ信号（ＣＶＳｃ）に包含されるイメージ情報を一連のイメージから形成し、各イメージは複数のラインを包含し、前記第１のタイプの制御情報（ΦＩＣ）は複数のラインを表し、該ラインだけ、前記第１のビデオ装置（１）から受信した前記ビデオ信号（ＣＶＳＣ）を前記第２のビデオ装置（２）のタイムベースに関連して位相シフトする、請求項１から６までのいずれか１項記載の方法。
【請求項８】
前記ビデオ信号（ＣＶＳＣ）を一連のデータパケットとしてディジタルの形態で伝送し、各データパケットはイメージデータを包含し、該データパケットのうちの幾つかのデータパケットは、前記第１のビデオ装置（１）のタイムベースから導出され、送信時間が包含されているデータパケットの該送信時間を表す送信時間データ（ＰＣＲＣ）を包含し、各送信時間データ（ＰＣＲＣ）を前記第２のビデオ装置（２）による受信に基づき、該第２のビデオ装置（２）のタイムベース（２１）から導出される受信時間データ（ＰＣＲＭ）と比較し、前記第２のタイプの制御情報（ΔＰＣＲ）を前記送信時間データ（ＰＣＲＣ）と前記受信時間データ（ＰＣＲＭ）との差から導出する、請求項１から７までのいずれか１項記載の方法。
【請求項９】
前記第１のビデオ装置（１）は該第１のビデオ装置（１）の前記タイムベース（１２）から導出されるピクセル周波数（ＰＣＣ）に基づき動作する第１のカウンタ（５４）を包含し、前記第２のビデオ装置（２）は該第２のビデオ装置（２）の前記タイムベース（２１）から導出されるピクセル周波数（ＰＣＭ）に基づき動作する第２のカウンタ（６４）を包含し、前記第１のカウンタ（５４）のカウンタ値（ＰＣＲＣ）を送信時間データとしてデータパケットに包含させ、受信時間データとしての前記第２のカウンタ（６４）のカウンタ値（ＰＣＲＭ）と比較する、請求項８記載の方法。
【請求項１０】
前記第１のカウンタ（５４）のカウンタ値（ＰＣＲＣ）と前記第２のカウンタ（６４）のカウンタ値（ＰＣＲＭ）との差（ΔＰＣＲ）が所定の閾値を上回る場合には、前記第２のカウンタ（６４）を前記第１のカウンタ（５４）から受信した値（ＰＣＲＣ）にセットする、請求項９記載の方法。
【手続補正２】
【補正対象書類名】明細書
【補正対象項目名】発明の名称
【補正方法】変更
【補正の内容】
【発明の名称】イメージ情報及び同期情報を包含するビデオ信号を伝送する第１のビデオ装置のタイムベースとビデオ信号を受信する第２のビデオ装置のタイムベースとを同期させる方法
【手続補正３】
【補正対象書類名】明細書
【補正対象項目名】０００１
【補正方法】変更
【補正の内容】
【０００１】
本発明は、イメージ情報及び同期情報を包含するビデオ信号を伝送する第１のビデオ装置のタイムベースとビデオ信号を受信する第２のビデオ装置のタイムベースとを同期させる方法であって、ａ）同期情報を第２のビデオ装置によって受信されたビデオ信号及び第２のビデオ装置のタイムベースから抽出するステップと、ｂ）第２のビデオ装置によって受信されたビデオ信号と第２のビデオ装置のタイムベースとの位相差を抽出された同期情報に基づき求めるステップと、ｃ）位相差の量を表す第１のタイプの制御情報を第１のビデオ装置に伝送するステップと、ｄ）第１のビデオ装置において、ビデオ信号の位相を第１のタイプの制御情報を表す位相角だけ変えるステップとを包含する方法に関する。
【手続補正４】
【補正対象書類名】明細書
【補正対象項目名】００１２
【補正方法】変更
【補正の内容】
【００１２】
したがって本発明の課題は、殊にビデオ装置が２つの伝送媒体によって接続されており且つこの伝送媒体の伝送遅延が永続的に変化する可能性のある場合、ビデオ装置のタイムベースを同期するための高速な方法を提供することである。
【手続補正５】
【補正対象書類名】明細書
【補正対象項目名】００１３
【補正方法】変更
【補正の内容】
【００１３】
この課題は、冒頭で述べた形式の方法において、第１のタイプの制御情報は所定数ｎ≧２のビットを有する２進データ語であり、ｅ）第１のタイプの制御情報及び第２のタイプの制御情報を、第１のタイプの制御情報及び第２のタイプの制御情報によって表される位相差の和がステップｂ）において求められた位相差であるように決定するステップと、ｆ）第２のタイプの制御情報を第１のビデオ装置にも伝送するステップと、ｇ）第２のタイプの制御情報によって表される位相シフトを第１のビデオ装置においてビデオ信号に適用するステップとを有することにより解決される。